(57)【要約】【課題】次番組の番組情報を確認する場合の操作の煩雑さを解消したテレビジョン受信機、及びこのテレビジョン受信機を備えたプロジェクタを提供することである。【解決手段】テレビジョン受信機１は、テレビジョン信号を受信する受信部（選局処理部５、チューナ６）と、番組映像を表示する映像表示部（表示装置１１）と、番組情報を取得する番組情報取得部（ＥＰＧ情報取得部８）と、取得した番組情報を映像表示部（表示装置１１）に表示させる制御を行う番組情報制御部（制御部２）とを備え、番組情報制御部は、番組情報判断部（制御部２）を備え、番組情報判断部が、現在表示中の番組の番組時刻情報から得られる終了時刻と、現在時刻との差を比較し、差が所定時間以内であると判断すると、番組情報制御部は、番組情報取得部から次の番組の番組情報を得て映像表示部に現在表示中の番組映像とともに表示させる。【選択図】図３
2007228226.tif 000002
【特許請求の範囲】
【請求項１】
テレビジョン信号をチャンネル毎に選択して受信する受信部と、
前記受信部で受信した前記チャンネルの番組映像を表示する映像表示部と、
前記チャンネル毎の番組情報を取得する番組情報取得部と、
前記番組情報取得部で取得した前記番組情報を前記映像表示部に表示させる制御を行う番組情報制御部とを備え、
前記番組情報制御部は、前記番組情報取得部で取得した前記番組情報から得られる番組時刻情報と、現在時刻とを比較判断する番組情報判断部を備え、
前記番組情報判断部が、現在表示中の番組の前記番組時刻情報から得られる終了時刻と、前記現在時刻との差を比較し、当該差が所定時間以内であると判断すると、前記番組情報制御部は、前記番組情報取得部から次の番組の番組情報を得て前記映像表示部に現在表示中の前記番組の番組映像とともに表示させることを特徴とするテレビジョン受信機。
【請求項２】
請求項１に記載のテレビジョン受信機であって、
チャンネルの切替え操作を行う第１操作部を備え、
前記番組情報制御部は、前記第１操作部からの前記チャンネル切替信号に基づき、前記映像表示部に切替えたチャンネルに対応する番組の番組映像とともに前記番組情報取得部から得た前記番組映像に対応する前記番組情報を表示させ、あわせて前記番組情報判断部が、現在表示中の前記番組の前記終了時刻と、前記現在時刻との差を比較し、当該差が所定時間以内であると判断すると、前記次の番組の番組情報を前記映像表示部に表示させることを特徴とするテレビジョン受信機。
【請求項３】
請求項１または請求項２に記載のテレビジョン受信機であって、
計時するタイマ部を備え、
前記番組情報制御部が前記映像表示部に前記次の番組の番組情報を表示させると、前記タイマ部が起動し、計時時間が所定時間に達すると、前記表示させている前記次の番組の番組情報の表示を消すことを特徴とするテレビジョン受信機。
【請求項４】
請求項１〜請求項３のいずれか一項に記載のテレビジョン受信機であって、
前記番組情報表示部による前記番組情報の表示を行わせるか否かの切替え操作を行う第２操作部を備えることを特徴とするテレビジョン受信機。
【請求項５】
請求項１〜請求項４のいずれか一項に記載のテレビジョン受信機と、
光束を射出する光源装置と、
前記光源装置から射出された光束を前記テレビジョン受信機から得られる画像情報に応じて変調して光学像を形成する光変調部と、
前記光変調部により形成された光学像を投写する投写部とを備えることを特徴とするプロジェクタ。
【発明の詳細な説明】
【技術分野】
【０００１】
本発明は、テレビジョン信号を受信して映像を表示するテレビジョン受信機に関する。
【背景技術】
【０００２】
近年、テレビジョン信号をデジタル化して伝送し、その信号を各家庭で受信して所望の番組を視聴できるテレビジョン装置（受信機）などが普及してきている。また、このようなテレビジョン受信機は、受信したテレビジョン信号から各チャンネルの番組放送時間や番組内容などの各種番組情報からなる電子番組表（ＥＰＧ：Electronic Program Guide）情報を取得して、ＥＰＧ画面として表示する。そして表示されるＥＰＧ画面上で視聴者（ユーザ）が所望の番組を選択できる仕様となっている。
また、特許文献１に開示されるように、ユーザが選局したチャンネルの番組映像の表示中に、その画面にＥＰＧ情報を埋め込み、他の各チャンネルで放送中の裏番組についての番組情報を順次表示して、ユーザに番組探索が行えるようにしたものもある。
【０００３】
【特許文献１】特開２００５−９４３５５号公報
【発明の開示】
【発明が解決しようとする課題】
【０００４】
しかしながら、特許文献１においては、現在放送中の裏番組についての番組情報や、現在視聴中の番組の番組情報などはわかるが、現在視聴中の番組の次に放送予定の番組についてはＥＰＧ画面を表示させて確認せざるを得なかった。
このように、現在視聴中の番組の次に放送予定の番組（以降、次に放送予定の番組を、次番組と称する）について番組情報を確認する場合は、ＥＰＧ画面を表示させることが必要であり、操作の煩雑さは未解決の課題となっていた。
【０００５】
本発明は、上記未解決の課題に鑑みてなされたものであり、次番組の番組情報を確認する場合の操作の煩雑さを解消したテレビジョン受信機、及びこのテレビジョン受信機を備えたプロジェクタを提供することを目的とする。
【課題を解決するための手段】
【０００６】
上述した目的を達成するために、本発明のテレビジョン受信機は、テレビジョン信号をチャンネル毎に選択して受信する受信部と、受信部で受信したチャンネルの番組映像を表示する映像表示部と、チャンネル毎の番組情報を取得する番組情報取得部と、番組情報取得部で取得した番組情報を映像表示部に表示させる制御を行う番組情報制御部とを備え、番組情報制御部は、番組情報取得部で取得した番組情報から得られる番組時刻情報と、現在時刻とを比較判断する番組情報判断部を備え、番組情報判断部が、現在表示中の番組の番組時刻情報から得られる終了時刻と、現在時刻との差を比較し、差が所定時間以内であると判断すると、番組情報制御部は、番組情報取得部から次の番組の番組情報を得て映像表示部に現在表示中の番組の番組映像とともに表示させることを特徴とする。
【０００７】
このようなテレビジョン受信機によれば、番組情報制御部は、番組情報判断部により、現在表示中の番組の終了時刻と、現在時刻との差を比較し、差が所定時間以内であると判断すると、番組情報制御部は、番組情報取得部から次の番組の番組情報を得て映像表示部に現在表示中の番組映像とともに表示させる。これにより、受信したチャンネルで放送中の番組が終了時刻に近くなった場合、そのチャンネルでの、次番組の番組情報を表示してくれるため、次番組の情報を見たい場合に、ユーザはＥＰＧ画面を呼び出さなくても確認することができる。従って、次番組の番組情報を確認する場合の操作の煩雑さを解消することができるテレビジョン受信機を提供できる。
【０００８】
上記テレビジョン受信機において、チャンネルの切替え操作を行う第１操作部を備え、番組情報制御部は、第１操作部からのチャンネル切替信号に基づき、映像表示部に切替えたチャンネルに対応する番組の番組映像とともに番組情報取得部から得た番組映像に対応する番組情報を表示させ、あわせて番組情報判断部が、現在表示中の番組の終了時刻と、現在時刻との差を比較し、差が所定時間以内であると判断すると、次の番組の番組情報を映像表示部に表示させることが好ましい。
【０００９】
このようなテレビジョン受信機によれば、第１操作部からのチャンネル切替信号に基づき、切替えるチャンネルに対応する番組の番組映像を表示するとともに、その番組の番組情報も表示する。またこのとき、番組情報判断部により、現在表示中の番組の終了時刻と、現在時刻との差が所定時間以内であると判断すると、次の番組の番組情報も表示させる。これにより、例えばユーザがザッピングなどを行っている場合、ザッピングしたチャンネルの番組映像が表示されるとともにその番組の番組情報が表示され、また、その番組が終了時刻に近くなっている場合、そのチャンネルでの、次番組の番組情報も表示してくれるため、ザッピングして表示した番組の番組情報と、次番組の番組情報が確認できる。よって、ザッピングなどを行っている場合に、ユーザはＥＰＧ画面を呼び出さなくても、表示された番組の番組情報と次番組の番組情報を確認することができる。従って、次番組の番組情報を確認する場合の操作の煩雑さを解消することができるテレビジョン受信機を提供できる。
【００１０】
上記テレビジョン受信機において、計時するタイマ部を備え、番組情報制御部が映像表示部に次の番組の番組情報を表示させると、タイマ部が起動し、計時時間が所定時間に達すると、表示させている次の番組の番組情報の表示を消すことが好ましい。
【００１１】
このようなテレビジョン受信機によれば、タイマ部を備え、次の番組の番組情報を表示させて、所定時間に達する（経過する）と表示を消すことにより、無用に長く次番組の番組情報を表示することを防げる。これにより、ユーザは、次番組の番組情報を確認した後は、次番組の番組情報が消えることにより、番組映像に集中することができる。
【００１２】
上記テレビジョン受信機において、番組情報表示部による番組情報の表示を行わせるか否かの切替え操作を行う第２操作部を備えることが好ましい。
【００１３】
このようなテレビジョン受信機によれば、ユーザは、番組を終了時刻まで集中して観たい場合には、第２操作部により、番組情報の表示を行わせないように切替えることができる。また、終了時刻近くに次番組の番組情報を確認したい場合には、第２操作部により、番組情報の表示を行わせるように切替えることができる。
【００１４】
上述した目的を達成するために、本発明のプロジェクタは、上述したいずれかのテレビジョン受信機と、光束を射出する光源装置と、光源装置から射出された光束をテレビジョン受信機から得られる画像情報に応じて変調して光学像を形成する光変調部と、光変調部により形成された光学像を投写する投写部とを備えることを特徴とする。
【００１５】
このようなプロジェクタによれば、テレビジョン受信機、光源装置、光変調部および投写部を備えることにより、テレビジョン信号を受信して、選択したチャンネルの番組映像を投写することができ、また、次番組の番組情報を表示することができる。従って、ユーザが、次番組の番組情報を確認する場合の操作の煩雑さを解消することができるプロジェクタを提供できる。
【発明を実施するための最良の形態】
【００１６】
以下、本発明の実施形態を図面に基づいて説明する。
（実施形態）
【００１７】
図１は、本発明の実施形態に係るテレビジョン受信機の構成を示すブロック図である。図１を用いて、テレビジョン受信機１の構成および動作を説明する。
【００１８】
図１に示すように、テレビジョン受信機１は、リモコン受光部３、キー入力処理部４、選局処理部５、チューナ６、入力選択部７、ＥＰＧ情報取得部８、映像音声処理部９、映像出力部１０、表示装置１１、音声出力部１２およびスピーカ１３などを有して構成される。
【００１９】
テレビジョン受信機１は、制御部２により統括制御されている。また、制御部２は、ＣＰＵ（Central Processing Unit）で構成される。このＣＰＵは、ＲＯＭ（Read Only Memory）及びＲＡＭ（Random Access Memory）を有して構成されている。
【００２０】
ここで、ユーザが、例えば押ボタン式のキースイッチを有するワイヤレス型のリモコン（リモートコントローラ）１５の、キースイッチを押下すると、リモコン１５は、押下されたキースイッチに応じて、例えば赤外線からなるリモート制御信号をリモコン受光部３に送信する。そして、キー入力処理部４において、入力したリモート制御信号をデジタルコードデータに変換して制御部２に出力する。制御部２は、入力されたデータに対する制御信号を選局処理部５及び入力選択部７に出力することにより、チャンネルの切替えや、外部接続機器１６の切替えなどを行うように構成されている。なお、外部接続機器１６としてはＤＶＤ（Digital Versatile Disk）プレーヤやビデオプレーヤやパソコン（パーソナルコンピュータ）などを挙げることができる。
【００２１】
また、リモコン１５からキー入力処理部４を介して、チャンネル切替えを指示するチャンネル切替信号が入力された場合、制御部２は、受信部としての選局処理部５を制御して、同じく受信部としてのチューナ６に、選局されたチャンネルに対応する周波数に応じたテレビジョン信号を受信させ、映像音声処理部９に入力させる。映像音声処理部９は、入力したテレビジョン信号の中の映像データ部分を順次映像出力部１０に出力し、また、音声データ部分を順次音声出力部１２に出力する。
ここで、本実施形態では、リモコン１５をチャンネルの切替え操作を行う第１操作部としている。
【００２２】
映像出力部１０は、映像データをデコードして圧縮符号化前の映像データに変換し、これを例えばＮＴＳＣ（National Television System Committee）変換して映像データをビデオ信号に変換する。そして、このビデオ信号を映像表示部としての表示装置１１に出力する。これにより、表示装置１１は、入力するビデオ信号を番組映像として表示する。
【００２３】
一方、音声出力部１２は、音声データをデコードして圧縮符号化前の音声データに変換し、これをデジタルアナログ変換して音声データをアナログ音声信号に変換してスピーカ１３に出力する。これにより、スピーカ１３は、入力するアナログ音声信号を番組音声として出力する。
【００２４】
また、番組情報取得部としてのＥＰＧ情報取得部８は、チューナ６を介して受信したテレビジョン信号に多重化して提供されているＥＰＧ情報（以降、番組情報と称する）を取得する。なお、番組情報は、番組情報制御部としての制御部２及び映像出力部１０で処理されて、表示装置１１に番組映像とともに重畳されて表示される。
【００２５】
本実施形態では、リモコン１５からのチャンネル切替信号により、制御部２は、選局されたチャンネルに対応する現在放送中の番組の番組映像を表示装置１１に表示させるとともに、選局されたチャンネル番号およびＥＰＧ情報取得部８の取得した現在放送中の番組の番組情報を表示装置１１に表示する。
【００２６】
また、本実施形態では、番組情報制御部は番組情報判断部を備えており、ＥＰＧ情報取得部８で取得した番組情報から得られる番組時刻情報と、制御部２の有する現在時刻とを比較判断する。詳細には、番組情報判断部が、現在表示中の番組の番組時刻情報から得られる終了時刻と、現在時刻との差を比較して、その差が所定時間以内であると判断すると、番組情報制御部は、ＥＰＧ情報取得部８から次番組の番組情報を得て表示装置１１に現在表示中の番組映像とともに重畳させて表示させる。ここで、番組情報判断部は、制御部２内での番組情報判断用のプログラムの実行により構成される。
【００２７】
また、本実施形態では、タイマ部（図示省略）が制御部２内に備えられており、番組情報制御部が表示装置１１に次番組の番組情報を表示させると、タイマ部が起動し、計時を開始する。そして計時時間が所定時間に達すると、表示させている次番組の番組情報の表示を消す動作を行っている。このとき、現在表示中の番組の番組情報などが表示されている場合には、この番組情報も合わせて消すことでも良い。
【００２８】
図２は、本発明の特徴である番組情報制御部および番組情報判断部の処理手順を示すフローチャートである。また、図３は、図２で示す番組情報制御部および番組情報判断部での処理により、表示装置に表示される表示画面を示す模式図である。図２、図３を用いて、番組情報制御部および番組情報判断部の処理手順を説明する。なお、図２のフローチャートは、チャンネル切替信号を制御部２が最初に受信した場合のフローを示している。
【００２９】
制御部２は、本ルーチンを開始し、ステップＳ１００へ移行する。
ステップＳ１００において制御部２は、リモコン１５からの選局操作キーが押下される（選局操作入力される）ことによるチャンネル切替信号を待ち受ける。このチャンネル切替信号を受信するとステップＳ１０１へ移行する。
【００３０】
ステップＳ１０１において制御部２は、選局処理部５およびチューナ６により選局されたチャンネルに対応する周波数に応じたテレビジョン信号を受信させる（新しいチャンネル（ＣＨ）を選局）。そして次のステップＳ１０２へ移行する。
【００３１】
ステップＳ１０２において制御部２は、ＥＰＧ情報取得部８から現在放送中の番組情報を取得する。そして次のステップＳ１０３へ移行する。
【００３２】
ステップＳ１０３において制御部２は、番組情報判断部として動作を行い、現在放送中の番組の番組情報から、その番組の終了時刻を取得して、また、現在時刻を取得して、終了時刻と現在時刻との差を比較（計算）することで番組終了までの時間が所定時間以内であるか否かを判断する。本実施形態の場合、所定時間を５分と設定している。この結果、番組終了までの時間が５分以内であると判断すると、次のステップＳ１０４へ移行する。また、５分以上であると判断すると、次のステップＳ１０５へスキップする。
【００３３】
ステップＳ１０４において制御部２は、ＥＰＧ情報取得部８から次番組（次に放送予定の番組）の番組情報を取得する。そして次のステップＳ１０５へ移行する。
【００３４】
ステップＳ１０５において制御部２は、取得した番組情報を表示装置１１に表示させる。詳細には受信したテレビジョン信号を映像音声処理部９、映像出力部１０および音声出力部１２を制御して、選局したチャンネルの番組映像を表示装置１１に表示させる。同時に、制御部２は、ＥＰＧ情報取得部８から取得した現在放送中の番組の番組情報と次番組の番組情報とを、選局したチャンネルの番組映像に重畳させて表示装置１１に表示させる。
【００３５】
なお、ステップＳ１０３で、番組終了までの時間が５分以上であると判断した場合には、ステップＳ１０５において制御部２は、選局したチャンネルの番組映像に、その番組の番組情報を重畳させて表示装置１１に表示させる。
【００３６】
図３（ａ）、（ｂ）に示す図が、ステップＳ１０５で処理された場合の表示装置１１に表示される表示画面１１０を示している。そして、図３（ａ）は、選局したチャンネルの番組の終了時刻が所定時間（５分）以内の場合の表示画面を示し、図３（ｂ）は、選局したチャンネルの番組の終了時刻が所定時間（５分）以上の場合の表示画面を示している。
【００３７】
図３（ａ）に示すように、選局したチャンネルの番組の終了時刻が所定時間（５分）以内の場合、選局したチャンネルの番組映像と、その番組の番組情報と、次番組の番組情報とが重畳されて表示される。詳細には、表示装置１１の表示画面１１０には、選局されたチャンネルの番組映像１１１に重畳されて、チャンネル番号１１２（Ｃｈ４で図示）および現在時刻１１３（２１：５６で図示）が表示画面１１０の右上に表示される。また、表示画面１１０の下側には、現在放送中の番組の番組情報１１４としての番組名（ＡＢＣＤで図示）と番組の開始時刻（２１：００で図示）および終了時刻（２２：００で図示）が表示されるとともに、次番組の番組情報１１５としての番組名（ＥＦＧＨで図示）と番組の開始時刻（２２：００で図示）および終了時刻（２３：００で図示）が表示される。
【００３８】
図３（ｂ）に示すように、選局したチャンネルの番組の終了時刻が所定時間（５分）以上の場合、図３（ａ）に示す図の次番組の番組情報１１５は表示されないことになる。その他の表示は図３（ａ）と同様である。
【００３９】
ステップＳ１０５で制御部２が、取得した番組情報を表示装置１１に表示させると、同時にステップＳ１０６において制御部２は、タイマ部を起動させ、計時を開始する。詳細には、制御部２は、本実施形態では５秒を所定時間として、計時を開始する。
【００４０】
ステップＳ１０７において制御部２は、リモコン１５等からのキー入力を待ち受ける。ここで、キー入力を検出（入力信号を受信）した場合には、ステップＳ１１０へ移行し、入力信号を受信しない場合には、ステップＳ１０８へ移行する。
【００４１】
ステップＳ１０８において制御部２は、タイマ部の計時により、５秒の所定時間を経過したか否かを判断する。５秒を経過しない場合には、ステップＳ１０７，Ｓ１０８の動作を繰返す。５秒を経過した場合には、ステップＳ１０９へ移行する。
【００４２】
ステップＳ１０９において制御部２は、表示装置１１に表示させているチャンネル番号（ＣＨ番号）や番組情報などの表示を消去することで、本ルーチンは終了する。
【００４３】
なお、ステップＳ１０７において入力信号を受信した場合には、ステップＳ１１０へ移行し、ステップＳ１１０において制御部２は、表示装置１１に表示させているチャンネル番号（ＣＨ番号）や番組情報などの表示を消去し、ステップＳ１１１へ移行する。
【００４４】
ステップＳ１１１において制御部２は、ステップＳ１０７で受信した入力信号に対応する処理（入力キー処理）を行うことになる。
【００４５】
図４は、図２と同様に、本発明の特徴である番組情報制御部および番組情報判断部の処理手順を示すフローチャートである。特に、図２のフローチャートは、チャンネル切替信号を制御部２が最初に受信した場合のフローチャートを示しているのに対し、図４は、図２のフローチャートの中で、ステップＳ１０３の番組情報判断部で、番組終了まで５分以上あり、図２のフローチャートが終了し、その後、チャンネル切替信号（選局操作）が入力されない場合の処理手順を示すフローチャートを示している。なお、図４に示すフローチャートの処理中に選局操作入力があった場合には、図２に示すフローチャートに戻ることになる。
図５は、図４で示す番組情報制御部および番組情報判断部での処理により、表示部に表示される表示画面を示す模式図である。図４、図５を用いて、表示中の番組の終了時刻までに５分以上あった場合の番組情報制御部および番組情報判断部の処理手順を説明する。
【００４６】
図２に示すステップＳ１０９において制御部２が、表示装置１１に表示させているチャンネル番号や番組情報などの表示を消去することで、図２に示す、チャンネル切替信号を制御部２が最初に受信した場合のルーチンは終了する。そして、図４に示す本ルーチンが開始する。
【００４７】
ステップＳ２００において制御部２は、図２に示すステップＳ１０３と同様に、番組情報判断部として動作を行い、現在放送中（表示中）の番組の番組情報から、その番組の終了時刻を取得して、また、現在時刻を取得して、終了時刻と現在時刻との差を比較（計算）することで番組終了までの時間が所定時間以内であるか否かを判断する。本実施形態の場合、所定時間を５分と設定している。この結果、番組終了までの時間が５分以内であると判断すると、次のステップＳ２０１へ移行する。また、５分以上であると判断すると、ステップＳ２００を繰返す。
【００４８】
ステップＳ２０１において制御部２は、図２のステップＳ１０４と同様に、ＥＰＧ情報取得部８から次番組の番組情報を取得する。そして次のステップＳ２０２へ移行する。
【００４９】
ステップＳ２０２において制御部２は、取得した次番組の番組情報を現在表示中の番組映像に重畳させて表示装置１１に表示させる。
【００５０】
図５に示す図が、ステップＳ２０２で処理された場合の表示装置１１に表示される表示画面１２０を示している。詳細には、表示装置１１の表示画面１２０には、現在表示中の番組映像１２１に、次番組の番組情報１２２としての次番組の番組名（ＩＪＫＬで図示）と番組の開始時刻（１０：００で図示）および終了時刻（１１：００で図示）が表示画面１２０の下側に重畳されて表示される。
【００５１】
ステップＳ２０３において制御部２は、図２に示すステップＳ１０６と同様にタイマ部を起動させる。次にステップＳ２０４において制御部２は、図２に示すステップＳ１０７と同様に、キー入力を検出（入力信号を受信）し、新たな入力信号が受信されない場合、ステップＳ２０５に移行する。
【００５２】
ステップＳ２０５において制御部２は、図２に示すステップＳ１０８と同様の処理を行い、タイマ部の計時により、５秒の所定時間を経過したか否かを判断する。５秒を経過しない場合には、ステップＳ２０４，Ｓ２０５の動作を繰返す。５秒を経過した場合には、ステップＳ２０６へ移行する。
【００５３】
ステップＳ２０６において制御部２は、表示装置１１に表示させている次番組の番組情報の表示を消去することで、本ルーチンは終了する。
【００５４】
なお、ステップＳ２０４において入力信号を受信した場合には、ステップＳ２０７へ移行し、ステップＳ２０７において制御部２は、表示装置１１に表示させている次番組の番組情報の表示を消去し、ステップＳ２０８へ移行する。
【００５５】
ステップＳ２０８において制御部２は、ステップＳ２０４で受信した入力信号に対応する処理（入力キー処理）を行うことになる。
【００５６】
上述した、実施形態によれば以下の効果が得られる。
（１）本実施形態のテレビジョン受信機１によれば、第１操作部としてのリモコン１５からのチャンネル切替信号を受信し、制御部２は、選局処理部５およびチューナ６により切替えるチャンネルに対応するテレビジョン信号を受信させ、あわせて、ＥＰＧ情報取得部８に番組情報を取得させる。そして、制御部２は、切替えたチャンネルの番組の番組映像と、番組情報を表示装置１１に表示させる。このとき、番組情報判断部としての制御部２は、表示した現在放送中の番組の番組情報から、その番組の終了時刻を取得して、また、現在時刻を取得して、終了時刻と現在時刻との差を計算することで番組終了までの時間が所定時間以内であるか否かを比較する。本実施形態の場合、所定時間を５分として設定しており、番組終了までの時間が５分以内であると判断すると、次番組の番組情報も合わせて表示させる。
これにより、ユーザはリモコン１５によりチャンネル切替えを行った場合、そのチャンネルの番組を視聴することができるとともに、その番組のチャンネル番号や番組情報（本実施形態では番組名や開始時刻および終了時刻）を画面で確認できる。そして、その視聴している番組の終了時刻が所定時間以内（５分以内）である場合には、次番組の番組情報（本実施形態では次番組の番組名や開始時刻および終了時刻）を同じ画面で確認することができる。よって、ユーザは、ザッピングなどを行っている場合に、ＥＰＧ画面を呼び出さなくても、表示された番組の番組情報と次番組の番組情報を確認することができる。従って、次番組の番組情報を確認する場合の操作の煩雑さを解消することができる。
なお、ユーザが、所望する番組の開始時刻の少し前（現在放送中の番組の終了時刻間際）にザッピングして、所望の番組を放送するチャンネルに切替えた場合には、その番組の映像が、コマーシャル映像となっている場合が多いため、特に、次番組の番組情報を表示させることにより、ユーザは、コマーシャルを見ながら、所望する次番組の開始を安心して待つことができる効果は大きい。
【００５７】
（２）本実施形態のテレビジョン受信機１によれば、制御部２は、番組情報を表示装置１１に表示させた後、タイマ部を起動させ、計時を開始し、所定時間（本実施形態では５秒）を経過すると、番組情報の表示を消去する。これにより、ユーザは、視聴中の番組情報や次番組の番組情報を確認した後は、番組映像に集中することができる。
【００５８】
（３）本実施形態のテレビジョン受信機１によれば、ザッピングした直後において、その切替えたチャンネルに対応した番組の番組映像と、その番組の終了時刻が５分以上である場合には、切替えたチャンネルの番組の番組情報を重畳して表示装置１１に表示し、タイマ部の動作により、５秒後に、番組情報を消去する。そして、チャンネル切替えの入力信号がない場合には、現在表示中の番組映像を表示し続けるが、その番組の終了時刻が５分以内になった場合には、制御部２は、その番組映像に重畳させて、次番組の番組情報を表示させることが可能になる。これにより、ユーザは、次番組が見たい場合でも、現在表示中の番組映像を安心して視聴していることができる。
【００５９】
なお、本発明は、上述した実施形態に限定されず、種々の変更や改良等加えることが可能である。変形例を以下に述べる。
【００６０】
（変形例１）前記実施形態において、番組情報制御部に、番組情報の表示を行わせるか否かの切替え操作を行なわせる第２操作部を備えることでも良い。なお第２操作部はリモコン１５を用いても良い。このようにすることにより、ユーザは、番組を終了時刻まで集中して視聴したい場合には、第２操作部により、次番組の番組情報の表示を行わせないように切替えることができる。また、第２操作部により、次番組の番組情報の表示を行わせるように切替えることができる。なお、第２操作部により、次番組の番組情報の表示を行わせないように切替えることと連動させて、チャンネル切替時の切替えられたチャンネルの番組情報の表示も行わせないように切替えることでも良い。
【００６１】
（変形例２）前記実施形態のテレビジョン受信機１と、光束を射出する光源装置（図示省略）と、光源装置から射出された光束をテレビジョン受信機１から得られる画像情報に応じて変調して光学像を形成する光変調部（図示省略）と、光変調部により形成された光学像を投写する投写部（図示省略）とを備えてプロジェクタを構成しても良い。このように構成されるプロジェクタは、テレビジョン信号を受信して、選択したチャンネルの番組映像を投写することができ、また、次番組の番組情報を表示することができる。従って、ユーザが、次番組の番組情報を確認する場合の操作の煩雑さを解消することができる。
なお、光源装置には、ハロゲンランプ、メタルハライドランプ、及び高圧水銀ランプなどの放電式ランプを用いることができる。
また、光変調部には、液晶パネル装置やマイクロミラー型光変調装置（例えば、ＤＭＤ（Digital Micromirror Device）（登録商標））を用いることができる。
また、液晶パネル装置としては、透過型液晶方式や反射型液晶方式であるＬＣＯＳ（Liquid Crystal On Silicon）方式などを用いることができる。
そして、プロジェクタの投写タイプとして、フロント投写タイプやリア投写タイプを用いることができる。
【００６２】
（変形例３）前記実施形態のテレビジョン受信機１は、プロジェクタに適用することに限られず、様々な電子機器に適用することができる。
【００６３】
（変形例４）前記実施形態の番組情報判断部における所定時間は５分であり、視聴中の番組が番組終了時刻の５分前になる場合や、またはザッピングしたチャンネルの番組の番組終了時刻が５分以内であった場合などに、次番組の番組情報を表示させている。しかし、これに限らず、所定時間を任意に設定することができる。また、番組情報判断部における所定時間を設定するためのキー操作部をリモコン１５に備えることもできる。
【００６４】
（変形例５）前記実施形態のタイマ部における所定時間は５秒であり、視聴中の番組の番組情報や、次番組の番組情報が表示されてから、５秒が経過すると、表示が消される。しかし、これに限らず、所定時間を任意に設定することができる。また、タイマ部における所定時間を設定するためのキー操作部をリモコン１５に備えることもできる。
【００６５】
（変形例６）前記実施形態のテレビジョン受信機１は、番組情報としてチャンネル番号や番組名や番組の開始時刻および終了時刻を表示させているが、これに限られず、番組情報として、ＥＰＧ情報取得部８で取得されたＥＰＧ情報、例えばチャンネル名、番組ジャンル、視聴年齢制限の有無など適宜選択して表示させることでも良い。
【図面の簡単な説明】
【００６６】
【図１】本発明の実施形態に係るテレビジョン受信機の構成を示すブロック図。
【図２】番組情報制御部および番組情報判断部の処理手順を示すフローチャート。
【図３】図２で示す番組情報制御部および番組情報判断部での処理により、表示装置に表示される表示画面を示す模式図。
【図４】番組情報制御部および番組情報判断部の処理手順を示すフローチャート。
【図５】図４で示す番組情報制御部および番組情報判断部での処理により、表示装置に表示される表示画面を示す模式図。
【符号の説明】
【００６７】
１…テレビジョン受信機、２…制御部、３…リモコン受光部、４…キー入力処理部、５…選局処理部、６…チューナ、７…入力選択部、８…ＥＰＧ情報取得部、９…映像音声処理部、１０…映像出力部、１１…表示装置、１２…音声出力部、１３…スピーカ、１５…リモコン、１６…外部接続機器、１１０…表示画面、１１１…番組映像、１１２…チャンネル番号、１１３…現在時刻、１１４…番組情報、１１５…番組情報、１２０…表示画面、１２１…番組映像、１２２…番組情報。
【図１】
2007228226.tif 000003
【図２】
2007228226.tif 000004
【図３】
2007228226.tif 000005
【図４】
2007228226.tif 000006
【図５】
2007228226.tif 000007